(57)【要約】      （修正有）【課題】落下防止用安全ロープ内に配され、落下防止用安全ロープの使用時やシリコーン樹脂ロープの製造時などに、該シリコーン樹脂ロープの表面に傷が生じた場合でも、傷の進行を大に遅らせることができるシリコーン樹脂ロープを提供する。【解決手段】シリコーン樹脂ロープの本体１の長手方向におけるパーティングラインを含む部位に、凸部２を延設する。さらには、ロープの長手方向に延びる凸部を、パーティングラインを含まない部位にも設けてもよい。【選択図】図１
0003178980.tif 000002
【実用新案登録請求の範囲】
【請求項１】
シリコーン樹脂を含む金型成形されるロープであって、該ロープの長手方向におけるパーティングラインを含む部位に凸部を延設してなることを特徴とするシリコーン樹脂ロープ。
【請求項２】
上記ロープの長手方向に延びる凸部を、パーティングラインを含まない部位にも設けていることを特徴とする請求項１に記載のシリコーン樹脂ロープ。
【考案の詳細な説明】
【技術分野】
【０００１】
本考案は、シリコーン樹脂ロープに関し、特に伸縮螺旋ロープからなる落下防止用安全ロープの螺旋状部内に配されるシリコーン樹脂ロープに関する。
【背景技術】
【０００２】
従来、携帯物の落下防止用安全ロープは、工具や携帯電話機などの被携帯物と同被携帯物の携帯者とを接続して、これら携帯物を不注意などで落としてしまった場合でも落下を途中で止め、該携帯物が少なくとも地上まで到達しないように構成されている。
【０００３】
近年、高所作業を安全に行うため落下防止用安全ロープの需要は多く、このため、出願人の企業も落下防止用安全ロープを提供しており、本落下防止用安全ロープは、被接続物を使用していない時にはロープが邪魔にならないよう本体に柔軟な伸縮螺旋ロープを用いると共に螺旋状部内にシリコーン樹脂ロープを配して、引き延ばされた螺旋状部が初期位置の縮んだ状態に復帰するとき、螺旋状部の縮退と共に該螺旋ロープ間に薄状部材が挟み込まれないようにしている。
【０００４】
しかしながら、落下防止用安全ロープの使用においてシリコーン樹脂ロープが非常に鋭利な角部に当接した場合、該シリコーン樹脂ロープの表面に生じた傷が使用と共に拡大して、やがて該シリコーン樹脂ロープが切断してしまう恐れも考えられた。
【０００５】
また、シリコーン樹脂ロープの表面に傷が生じる懸念は該シリコーン樹脂ロープの製造時にもあって、それは該シリコーン樹脂ロープを金型にて成型するためであり、すなわち、成型時に生じたバリを切除するときにシリコーン樹脂ロープの表面を傷つけてしまう恐れがあることからである。
【先行技術文献】
【特許文献】
【０００６】
【特許文献１】特開２００７−１１１８５７号公報
【特許文献２】登録実用新案第３０７６０５４号公報
【考案の概要】
【考案が解決しようとする課題】
【０００７】
本考案の目的とするところは、落下防止用安全ロープの使用時やシリコーン樹脂ロープの製造時などに該シリコーン樹脂ロープの表面に傷が生じた場合でも、傷の進行を大に遅らせることができるシリコーン樹脂ロープを提供できるようにすることにある。
【課題を解決するための手段】
【０００８】
上述した課題を解決するために、本考案に係るシリコーン樹脂ロープの要旨とするところは、シリコーン樹脂を含む金型成形されるロープであって、該ロープの長手方向におけるパーティングラインを含む部位に凸部を延設してなることを特徴とするものである。
【０００９】
また、シリコーン樹脂を主にしてなる本シリコーン樹脂ロープは、主に伸縮螺旋ロープを用いてなる落下防止用安全ロープの螺旋内空に設けられることが大である。
【００１０】
そして、上記凸部は、金型成形されるロープの長手方向における少なくともパーティングラインを含む部位に延設する。上記パーティングラインは、普通、ロープの直径方向両側にそれぞれ現れるので、凸部を、ロープの直径方向両側にそれぞれ設ける。
【００１１】
また、凸部は、該凸部における中央ラインが略パーティングライン上になるように形成するのがよく、従って、一対の金型におけるそれぞれに凸部成形部位を設ける。
【００１２】
なお、凸部は終始パーティングラインを含む部位に形成することなく断続的に形成してもよいが、凸部と凸部との間隔は相当に小にするのが望ましい。
【００１３】
そして、落下防止用安全ロープへの適用形態により、凸部を、金型成形されるロープの少なくともパーティングラインを含めた部位に加え、パーティングラインを含めない部位、すなわちパーティングラインを含まない部位にも設けてもよい。
【００１４】
また、本シリコーン樹脂ロープにおけるシリコーン樹脂の割合も特に限定するものではなく、シリコーン樹脂ロープが配設される例えば落下防止用安全ロープの使用形態に合わせて選定すればよい。
【００１５】
本シリコーン樹脂ロープは、比較的重合度が高いシリコーンを主成分とした弾性ロープである。また、参考としてシリコーンとは、珪素と酸素との分子鎖（−Ｓｉ−Ｏ−Ｓｉ−）を骨格とし、この珪素にメチル基などが結合した珪素有機化合物の重合体（ポリマー）である。
【考案の効果】
【００１６】
本考案のシリコーン樹脂ロープによれば、凸部をロープ長手方向のパーティングラインを含む部位に形成することによって、シリコーン樹脂ロープを備える落下防止用安全ロープの使用時に凸部に小なる傷が付いてしまった場合やシリコーン樹脂ロープの製造時にパーティングラインに生じたバリを切除する際に凸部に小なる傷が付いてしまった場合でも、該傷が凸部からロープ本体に進行するまで相当な時間を要し、すなわちロープ本体に到達するまでの時間を相当に取ることができるので、ロープ本体に傷が生じることで感じるシリコーン樹脂ロープの機能低下までの時間を大幅に延長できて、該シリコーン樹脂ロープを備える例えば落下防止用安全ロープの寿命を延ばすことができる。
【図面の簡単な説明】
【００１７】
【図１】本考案に係るシリコーン樹脂ロープを示す平面図。
【図２】本体部分の断面図。
【図３】本シリコーン樹脂ロープの側面図。
【図４】他形態のシリコーン樹脂ロープの本体部分の断面図。
【図５】本シリコーン樹脂ロープの使用例を示す図。
【考案を実施するための形態】
【００１８】
以下、本考案に係るシリコーン樹脂ロープを、添付図面に示す具体例に基づいて説明する。また、本実施例で説明するシリコーン樹脂ロープは、図５に示した落下防止用安全ロープの構成部品として用いられるもので、このシリコーン樹脂ロープを基に説明する。
【００１９】
本シリコーン樹脂ロープは、図１に示すように、シリコーン樹脂ロープの本体１の直径方向両側にそれぞれ凸部２を形成していて、該凸部２は、図２に示すように、本体１のパーティングラインを含んだ部位に設けている。
【００２０】
図３は、シリコーン樹脂ロープを側方から見たもので、凸部２は、本図に示されるように本体１に直線的に設けられているが、本シリコーン樹脂ロープが適用される物品によっては、例えば本体１の周囲に螺旋状に設ける場合がある（図示は省略）。
【００２１】
図４は、凸部２を、パーティングラインを含んだ部位に加え、パーティングラインを含まない部位にも設けた一例を示しているものである。
【００２２】
実施例における図５中の符号５は、本シリコーン樹脂ロープと落下防止用のロープ６とを接続するための接続具、符号７は、落下防止用安全ロープに備えるフックである。
【符号の説明】
【００２３】
１…本体
２…凸部
３…膨出部
３ａ…通孔
４…膨出部
４ａ…通孔
５…接続具
６…落下防止用のロープ
７…フック
【図１】
0003178980.tif 000003
【図２】
0003178980.tif 000004
【図３】
0003178980.tif 000005
【図４】
0003178980.tif 000006
【図５】
0003178980.tif 000007